(57)【要約】      （修正有）【課題】痛みを軽減すると共に、陥入爪の取付位置を確認し易くした陥入爪治療具を提供する。【解決手段】陥入爪治療具１は、横幅が均一で板材を湾曲した形状をしており、この板材は、例えばシリコーン材等の軟性樹脂から成形され、透明又は半透明とされている。陥入爪治療具１は、矩形状の主面部１ａと、この主面部１ａと平行して配置された副面部１ｂと、断面Ｕ字状の接続部１ｃとから構成され、副面部１ｂは、長方形の一角を三角状に切り取った形状とされており、斜辺１ｆを備えている。指肉に喰い込む陥入爪を、主面部１ａの端部１ｇ、副面部１ｂの端部１ｈ、端部１ｇ及び端部１ｈを連結する接続部１ｃとで覆う状態の位置を確認した後、細糸材により本止めを行う。【選択図】図２
2019055137.tif 000002
【特許請求の範囲】
【請求項１】
横幅が均一の板材を湾曲した形状をした陥入爪治療具であって、
矩形状の主面部と、該主面部と平行して配置された副面部と、前記主面部及び前記副面部を連結し、断面Ｕ字状とした接続部とから構成され、
前記板材は透明又は半透明をした軟性樹脂から成形されたことを特徴とする陥入爪治療具。
【請求項２】
前記主面部の短辺の長さは、該短辺と平行する前記副面部の端辺より長いことを特徴とする請求項１に記載の陥入爪治療具。
【請求項３】
前記副面部は、長方形板の一角を三角状に切り取った形状をしており、斜辺を備えていることを特徴とする請求項１又は２に記載の陥入爪治療具。
【請求項４】
前記主面部、又は前記主面部及び前記副面部に、複数の貫通孔を設け、該貫通孔に通した細糸材を用いて陥入爪に固定可能としたことを特徴とする請求項１〜３の何れか１項に記載の陥入爪治療具。
【請求項５】
前記主面部の先端面と、前記副面部の先端面と、前記先端面を連続する前記接続部とで、前記陥入爪の外側縁部を覆うことが可能であることを特徴とする請求項４に記載の陥入爪治療具。
【発明の詳細な説明】
【技術分野】
【０００１】
本発明は、陥入爪を治療するための陥入爪治療具に関するものである。
【背景技術】
【０００２】
陥入爪とは、爪甲の外側縁部が内側に巻き込むように屈曲して、爪溝や側爪郭に喰い込み、足指の軟質組織を圧迫する疾患である。特に、爪甲の外側縁部の爪先側が内側に巻き込むことで足指に喰い込み、激しい疼痛を発生させることになる。
【０００３】
この陥入爪の発生要因としては、遺伝による先天的因子と、履物による圧迫や深爪等の不適切な処置による後天的因子とがあり、特に深爪等によって細菌が感染すると、母趾に異常肉芽が形成され、非常な疼痛を伴う爪郭炎を併発する場合がある。
【０００４】
そこで、特許文献１に開示されるようなチタン合金又はステンレス合金から成り、断面Ｃ字状の管体から成る陥入爪治療具を用いて、陥入爪の治療が行われている。
【先行技術文献】
【特許文献】
【０００５】
【特許文献１】特開２００４−３２９６４６号公報
【発明の概要】
【発明が解決しようとする課題】
【０００６】
しかし、特許文献１の陥入爪治療具は、装着時に横方向から陥入爪の外側縁部に装着する際に、陥入爪の外側縁部を持ち上げる必要がある。そして、陥入爪治療具を陥入爪の外側縁部に挟むときに、金属製であるため変形し難く、取り付け、取り外しに際して痛みを伴う。
【０００７】
更には、陥入爪の大きさに応じて、複数の大きさの陥入爪治療具を用意する必要がある。また、陥入爪治療具を陥入爪の外側縁部に挟んだ後であって、陥入爪治療具を固定する際に、外側縁部の位置が陥入爪治療具内の何処にあるのか確認がし難いという問題もある。
【０００８】
本発明の目的は、上述の課題を解消し、取り付け、取り外し時に発生する痛みを軽減すると共に、陥入爪の取付位置を確認し易くした陥入爪治療具を提供することにある。
【課題を解決するための手段】
【０００９】
上記目的を達成するための本発明に係る陥入爪治療具は、横幅が均一の板材を湾曲した形状をした陥入爪治療具であって、矩形状の主面部と、該主面部と平行して配置された副面部と、前記主面部及び前記副面部を連結し、断面Ｕ字状とした接続部とから構成され、前記板材は透明又は半透明をした軟性樹脂から成形されたことを特徴とする。
【発明の効果】
【００１０】
本発明に係る陥入爪治療具によれば、変形し易い軟性樹脂から成形されるため、患者の陥入爪の厚み等に応じて形状が変形可能であり、取り付け、取り外しの際に痛みを軽減することができる。また、透明又は半透明であるため、陥入爪の外側縁部に対して取付位置を確認しながら固定することが可能である。
【図面の簡単な説明】
【００１１】
【図１】陥入爪治療具を表側から見た斜視図である。
【図２】裏側から見た斜視図である。
【図３】陥入爪治療具を陥入爪に取り付ける際の説明図である。
【図４】本止め後の斜視図である。
【図５】本止め後に上方から見た正面図である。
【図６】本止め後に爪先方向から見た側面図である。
【発明を実施するための形態】
【００１２】
本発明を図示の実施例に基づいて詳細に説明する。
図１は陥入爪治療具１を表側から見た斜視図であり、図２は裏側から見た斜視図である。陥入爪治療具１は、横幅が均一で厚みが０．５ｍｍ程度の板材を湾曲した形状とされており、この板材は例えばシリコーン材等の軟性樹脂から成形され、透明又は半透明とされている。
【００１３】
陥入爪治療具１は、矩形状の主面部１ａと、この主面部１ａと平行して配置された副面部１ｂと、主面部１ａ及び副面部１ｂを連結し、断面Ｕ字状の接続部１ｃとから成っている。
【００１４】
陥入爪治療具１の大きさは、横幅が２．５ｃｍ程度、主面部１ａの短辺１ｄの長さが５ｍｍ程度、全体の厚みが３ｍｍ程度である。主面部１ａの短辺１ｄの長さは、短辺１ｄと平行する副面部１ｂの端辺１ｅより若干長いが、同じ長さであってもよい。
【００１５】
副面部１ｂは、主面部１ａ同様の長方形板の一角を例えば、図示するように三角状に切り取った形状とされており、斜辺１ｆを備えている。なお、副面部１ｂは予め斜辺１ｆを設けた図１、図２の形状のものを成形してもよいし、主面部１ａ同様の長方形状の副面部１ｂを有する陥入爪治療具１を成形し、患者の陥入爪Ｎの形状に応じて、医師がハサミ等で角部を切り離して図１、図２の形状にしてもよい。
【００１６】
更には主面部１ａ同様の長方形状の副面部１ｂを成形した陥入爪治療具１を用いて、副面部１ｂをハサミ等により適宜の形状にすることもできる。例えば、副面部１ｂの端辺１ｅをより短くした長方形状の副面部１ｂにすることも可能である。
【００１７】
また、陥入爪治療具１が患者の陥入爪Ｎに対して大き過ぎる場合には、適宜の大きさ、形状になるようにハサミ等で切り取って使用することもできる。このように、軟性樹脂から成る陥入爪治療具１は、従来の陥入爪治療具に比べて加工が容易である。
【００１８】
図３は陥入爪治療具１を患者の例えば母趾の陥入爪Ｎに取り付ける際の説明図であり、爪先の前方に配置した陥入爪治療具１に対して、矢印方向に摺動させて取り付けることになる。
【００１９】
なお、図３に示すように、図１、図２に示す陥入爪治療具１は、陥入爪Ｎの左側の外側縁部Ｎ１に対して取り付ける形状のものであり、陥入爪Ｎの右側に取り付ける場合は副面部１ｂの斜辺１ｆは左右反転する陥入爪治療具１を使用することになる。
【００２０】
陥入爪治療具１の仮止め作業である取付作業は、先ず、主面部１ａの裏面の後端部を外側縁部Ｎ１の表面に載置すると共に、外側縁部Ｎ１の縁端部Ｎ２が接続部１ｃの内壁に当接した状態で、陥入爪治療具１を徐々に押し込んでゆく。
【００２１】
陥入爪治療具１は斜辺１ｆを備えているため、矢印方向に陥入爪治療具１を押し込んで行くと、途中から副面部１ｂの斜辺１ｆが外側縁部Ｎ１の先端部Ｎ３の下側に入り込むことになる。
【００２２】
そして、主面部１ａの先端面１ｇと副面部１ｂの先端面１ｈとで陥入爪Ｎの外側縁部Ｎ１を挟む状態となる。同時に押し込みながら、透明又は半透明である陥入爪治療具１で挟まれた外側縁部Ｎ１がどの位置にあるのか確認し、母趾に喰い込むように変形した外側縁部Ｎ１の先端部Ｎ３を、主面部１ａの先端面１ｇ、副面部１ｂの先端面１ｈ、先端面１ｇ及び先端面１ｈとを連続する接続部１ｃとで覆う位置まで移動する。
【００２３】
このようにして仮止め作業を行った後に、本止め作業を行う。本止め作業の手順として、先ず上述のように先端部Ｎ３を覆うように陥入爪治療具１を移動させた仮止め作業後に、陥入爪治療具１及び外側縁部Ｎ１に対して、注射針のような中空状の針体を陥入爪治療具１及び陥入爪Ｎに対して表面側から裏面側に向けて貫通させる。
【００２４】
そして、貫通させた針体に、ナイロン、金属製のワイヤ等の素材から成る数ｃｍ程度の細糸材Ｌを通す。細糸材Ｌを通した後に、針体を取り除くことで、針体の貫通により形成した貫通孔１ｉに対して、細糸材Ｌが貫通した状態になる。
【００２５】
最後に細糸材Ｌの両側同士を強く結ぶことで本固定は完了する。図４は本止め後の斜視図であり、図５は上方から見た正面図であり、図６は爪先方向から見た側面図である。
【００２６】
図４〜図６の各図において、前後に２個の貫通孔１ｉを設けているが、３個以上の貫通孔１ｉを設けてもよい。また、固定する細糸材Ｌを外側縁部Ｎ１に結び方向は、爪先方向と爪側方向のように異なる方向で結ぶことが好ましく、このように異なる方向に結ぶことで、外側縁部Ｎ１に取り付けた陥入爪治療具１がずれにくくなる。
【００２７】
時間経過に伴い爪が伸びた際は、細糸材Ｌをニッパ等で切断後に外側縁部Ｎ１の位置を確認しながら最適な位置に陥入爪治療具１をずらす。そして、貫通孔１ｉに針体を挿入して外側縁部Ｎ１に新たな貫通孔１ｉを穿設した後に、新しい細糸材Ｌを針体に通した後に再度、本固定作業を行う。
【００２８】
また、時間経過と共に陥入爪治療具１を新しいものと交換してもよい。交換する際は、細糸材Ｌを切断し、柔軟に変形する陥入爪治療具１を横方向から引き抜き、新しい陥入爪治療具１と交換する。
【００２９】
このように、陥入爪治療具１は、変形し易い軟性樹脂から成形されているため、患者の陥入爪Ｎに応じて任意の形状に加工することが可能であると共に、陥入爪Ｎの厚み等に応じて形状が変形可能である。従って、陥入爪治療具１の取り付け、取り外しの際に痛みを軽減することができる。
【００３０】
また、陥入爪治療具１は透明又は半透明であるため、陥入爪の外側縁部に対して位置を確認しながら取付作業を行うことが可能である。
【符号の説明】
【００３１】
１  陥入爪治療具
１ａ  主面部
１ｂ  副面部
１ｃ  接続部
１ｆ  斜辺
１ｇ、１ｈ  先端面
１ｉ  貫通孔
【図１】
2019055137.tif 000003
【図２】
2019055137.tif 000004
【図３】
2019055137.tif 000005
【図４】
2019055137.tif 000006
【図５】
2019055137.tif 000007
【図６】
2019055137.tif 000008
【手続補正書】
【提出日】平成30年7月23日(2018.7.23)
【手続補正１】
【補正対象書類名】特許請求の範囲
【補正対象項目名】全文
【補正方法】変更
【補正の内容】
【特許請求の範囲】
【請求項１】
横幅が均一の板材を湾曲した形状をした陥入爪治療具であって、
矩形状の主面部と、該主面部と平行して配置された副面部と、前記主面部及び前記副面部を連結し、前記主面部の短辺に沿った断面が断面Ｕ字状である接続部とから構成され、
前記板材は透明又は半透明をした変形し易い軟性樹脂から成形されたことを特徴とする陥入爪治療具。
【請求項２】
前記軟性樹脂はシリコーン材であることを特徴とする請求項１に記載の陥入爪治療具。
【請求項３】
前記副面部は、長方形板の一角を三角状に切り取った形状をしており、斜辺を備えていることを特徴とする請求項１又は２に記載の陥入爪治療具。
【請求項４】
前記主面部、又は前記主面部及び前記副面部に、複数の貫通孔を設け、該貫通孔に通した細糸材を用いて陥入爪に固定可能としたことを特徴とする請求項１〜３の何れか１項に記載の陥入爪治療具。
【請求項５】
前記主面部の先端面と、前記副面部の先端面と、前記先端面を連続する前記接続部とで、前記陥入爪の外側縁部を覆うことが可能であることを特徴とする請求項４に記載の陥入爪治療具。
【手続補正２】
【補正対象書類名】明細書
【補正対象項目名】０００９
【補正方法】変更
【補正の内容】
【０００９】
上記目的を達成するための本発明に係る陥入爪治療具は、横幅が均一の板材を湾曲した形状をした陥入爪治療具であって、  矩形状の主面部と、該主面部と平行して配置された副面部と、前記主面部及び前記副面部を連結し、前記主面部の短辺に沿った断面が断面Ｕ字状である接続部とから構成され、前記板材は透明又は半透明をした変形し易い軟性樹脂から成形されたことを特徴とする。
【手続補正書】
【提出日】平成30年12月14日(2018.12.14)
【手続補正１】
【補正対象書類名】特許請求の範囲
【補正対象項目名】全文
【補正方法】変更
【補正の内容】
【特許請求の範囲】
【請求項１】
横幅が均一の板材を湾曲した形状をした陥入爪治療具であって、
矩形状の主面部と、該主面部と平行して配置された副面部と、前記主面部及び前記副面部を連結し、前記主面部の短辺に沿った断面が断面Ｕ字状である接続部とから構成され、
前記板材は透明又は半透明をした変形し易い軟性樹脂から成形され、
陥入爪の外側縁部の先端部を、前記主面部と前記副面部と前記接続部とにより覆うことを特徴とする陥入爪治療具。
【請求項２】
前記軟性樹脂はシリコーン材であることを特徴とする請求項１に記載の陥入爪治療具。
【請求項３】
前記副面部は、長方形板の一角を三角状に切り取った形状をしており、斜辺を備えていることを特徴とする請求項１又は２に記載の陥入爪治療具。
【請求項４】
前記主面部、又は前記主面部及び前記副面部に、複数の貫通孔を設け、該貫通孔に通した細糸材を用いて前記陥入爪に固定可能としたことを特徴とする請求項１〜３の何れか１項に記載の陥入爪治療具。
【手続補正２】
【補正対象書類名】明細書
【補正対象項目名】０００９
【補正方法】変更
【補正の内容】
【０００９】
上記目的を達成するための本発明に係る陥入爪治療具は、横幅が均一の板材を湾曲した形状をした陥入爪治療具であって、  矩形状の主面部と、該主面部と平行して配置された副面部と、前記主面部及び前記副面部を連結し、前記主面部の短辺に沿った断面が断面Ｕ字状である接続部とから構成され、前記板材は透明又は半透明をした変形し易い軟性樹脂から成形され、陥入爪の外側縁部の先端部を、前記主面部と前記副面部と前記接続部とにより覆うことを特徴とする。